(57)【要約】【課題】リセット区間での壁電荷量やサブフィールド別ＡＰＬを考慮してスキャンパルスの幅を可変させるプラズマディスプレイ装置及び駆動方法を提供することにある。【解決手段】複数のスキャンラインが垂直方向に並んで配列されたプラズマディスプレイパネルと、前記パネル上の前記スキャンラインの位置に応じてスキャンパルスの幅を調節するためのパルス幅制御信号を出力するタイミングコントローラと、前記タイミングコントローラから入力されたパルス幅制御信号によってスキャンパルスを前記プラズマディスプレイパネルのスキャンラインにするスキャン電極駆動部と、を含むことを特徴とするプラズマディスプレイ装置。  これによれば、スキャンラインの位置によってスキャンパルス幅が調節されることで、高速駆動が可能でサステイン区間での動作が確実となり輝度を増加させることができる。【選択図】図３
2006139281.tif 000002
【特許請求の範囲】
【請求項１】
複数のスキャンラインが垂直方向に並んで配列されたプラズマディスプレイパネルと、
前記パネル上の前記スキャンラインの位置に応じてスキャンパルスの幅を調節するためのパルス幅制御信号を出力するタイミングコントローラと、
前記タイミングコントローラから入力されたパルス幅制御信号によってスキャンパルスを前記プラズマディスプレイパネルのスキャンラインにするスキャン電極駆動部と、
を含むことを特徴とするプラズマディスプレイ装置。
【請求項２】
前記タイミングコントローラは、
リセット期間に印加されるリセットパルスの幅またはリセットパルスの電圧レベルの中で少なくとも一つを制御するためのタイミング制御信号を出力して、リセットパルスの幅またはリセットパルスの電圧レベルの中で少なくとも一つと前記スキャンラインの上下位置によってスキャンパルスの幅を調節するためのタイミング制御信号を出力することを特徴とする、請求項１記載のプラズマディスプレイ装置。
【請求項３】
映像信号の入力を受けてフレームに対応するサブフィールドを決定するデータ検出部をさらに含み、
前記タイミングコントローラは、
前記サブフィールドと前記スキャンラインの上下位置によってスキャンパルスの幅を調節するためのパルス幅制御信号を出力することを特徴とする、請求項１記載のプラズマディスプレイ装置。
【請求項４】
映像信号の入力を受けてデータロードを計算するデータ検出部をさらに含み、
前記映像信号のデータロードと前記スキャンラインの上下位置によってスキャンパルスの幅を調節するためのパルス幅制御信号を出力することを特徴とする、請求項１記載のプラズマディスプレイ装置。
【請求項５】
前記タイミングコントローラは、
各スキャンラインに順に印加されるスキャンパルスの幅を増加させるためのパルス幅制御信号を出力することを特徴とする、請求項１記載のプラズマディスプレイ装置。
【請求項６】
前記タイミングコントローラは、
第１領域にあるスキャンラインに印加されるスキャンパルスの幅が第１幅になるようにパルス幅制御信号を出力して、
前記第１領域の次の第２領域にあるスキャンラインに印加されるスキャンパルスの幅が前記第１幅より狭い第２幅になるようにパルス幅制御信号を出力して、
前記第２領域の次の第３領域にあるスキャンラインに印加されるスキャンパルスの幅が前記第２幅より大きい第３幅になるようにパルス幅制御信号を出力することを特徴とする、請求項１記載のプラズマディスプレイ装置。
【請求項７】
前記タイミングコントローラは、
前記第２領域にあるスキャンラインの中で一部のスキャンラインに印加されるスキャンパルスの幅が残りスキャンラインに印加されるスキャンパルスの幅よりさらに狭いようにパルス幅制御信号を出力することを特徴とする、請求項６記載のプラズマディスプレイ装置。
【請求項８】
前記タイミングコントローラは、
第１領域にあるスキャンラインに印加されるスキャンパルスの幅が第１幅になるようにパルス幅制御信号を出力して、
前記第１領域の次の第２領域にあるスキャンラインに印加されるスキャンパルスの幅が前記第１幅より広い第２幅になるようにパルス幅制御信号を出力して、
前記第２領域の次の第３領域にあるスキャンラインに印加されるスキャンパルスの幅が前記第２幅より狭い第３幅になるようにパルス幅制御信号を出力することを特徴とする、請求項１記載のプラズマディスプレイ装置。
【請求項９】
前記タイミングコントローラは、
前記第２領域にあるスキャンラインの中で一部のスキャンラインに印加されるスキャンパルスの幅が残りスキャンラインに印加されるスキャンパルスの幅よりさらに広いようにパルス幅制御信号を出力することを特徴とする、請求項８記載のプラズマディスプレイ装置。
【請求項１０】
前記タイミングコントローラは、
第１領域にあるスキャンラインに印加されるスキャンパルスの幅が線形的に減少するようにするパルス幅制御信号を出力して、
前記第１領域の次の第２領域にあるスキャンラインに印加されるスキャンパルスの幅が一定になるようにするパルス幅制御信号を出力して、
前記第２領域の次の第３領域にあるスキャンラインに印加されるスキャンパルスの幅が線形的に増加するようにするパルス幅制御信号を出力することを特徴とする、請求項１記載のプラズマディスプレイ装置。
【請求項１１】
前記タイミングコントローラは、
それぞれのスキャンラインに印加されるスキャンパルスの幅が非線形的に減少している途中で、非線形的に増加するようにするパルス幅制御信号を出力することを特徴とする、請求項１記載のプラズマディスプレイ装置。
【請求項１２】
前記タイミングコントローラは、
それぞれのスキャンラインに印加されるスキャンパルスの幅が線形的に減少している途中で、線形的に増加するようにするパルス幅制御信号を出力することを特徴とする、請求項１記載のプラズマディスプレイ装置。
【請求項１３】
前記タイミングコントローラは、スキャンパルスごとにスキャンパルスの幅が相異になるように制御することを特徴とする、請求項１に記載のプラズマディスプレイ装置。
【請求項１４】
複数のスキャンラインが垂直方向に並んで配列されたプラズマディスプレイ装置の駆動方法において、
前記パネル上の前記スキャンラインの位置に応じてスキャンパルスの幅を調節するためのパルス幅制御信号を出力する段階と、
前記パルス幅制御信号によってスキャンパルスを前記プラズマディスプレイパネルのスキャンラインに印加する段階と、
を含むことを特徴とするプラズマディスプレイ装置の駆動方法。
【請求項１５】
リセット期間に印加されるリセットパルスの幅またはリセットパルスの電圧レベルの中で少なくとも一つを制御するためのタイミング制御信号を出力する段階をさらに含み、
前記パルス幅制御信号を出力する段階は、前記リセットパルスの幅またはリセットパルスの電圧レベルの中で少なくとも一つと前記スキャンラインの上下位置によって、スキャンパルスの幅を調節するためのタイミング制御信号を出力することを特徴とする、請求項１４記載のプラズマディスプレイ装置の駆動方法。
【請求項１６】
映像信号の入力を受けてフレームに対応するサブフィールドを決定する段階をさらに含み、
前記パルス幅制御信号を出力する段階は、前記サブフィールドと前記スキャンラインの上下位置によって、スキャンパルスの幅を調節するためのパルス幅制御信号を出力することを特徴とする、請求項１４記載のプラズマディスプレイ装置の駆動方法。
【請求項１７】
映像信号の入力を受けてデータロードを計算する段階をさらに含み、
前記パルス幅制御信号を出力する段階は、前記映像信号のデータロードと前記スキャンラインの上下位置によって、スキャンパルスの幅を調節するためのパルス幅制御信号を出力することを特徴とする、請求項１４記載のプラズマディスプレイ装置の駆動方法。
【請求項１８】
前記パルス幅制御信号を出力する段階は、各スキャンラインに順に印加されるスキャンパルスの幅を増加させるためのパルス幅制御信号を出力することを特徴とする、請求項１４記載のプラズマディスプレイ装置の駆動方法。
【請求項１９】
前記パルス幅制御信号を出力する段階は、
第１領域にあるスキャンラインに印加されるスキャンパルスの幅が第１幅になるようにパルス幅制御信号を出力する段階と、
前記第１領域の次の第２領域にあるスキャンラインに印加されるスキャンパルスの幅が前記第１幅より狭い第２幅になるようにパルス幅制御信号を出力する段階と、
前記第２領域の次の第３領域にあるスキャンラインに印加されるスキャンパルスの幅が前記第２幅より大きい第３幅になるようにパルス幅制御信号を出力する段階と、
を含むことを特徴とする、請求項１４記載のプラズマディスプレイ装置の駆動方法。
【請求項２０】
前記パルス幅制御信号を出力する段階は、前記第２領域にあるスキャンラインの中で一部のスキャンラインに印加されるスキャンパルスの幅が、残りスキャンラインに印加されるスキャンパルスの幅よりさらに狭いようにパルス幅制御信号を出力することを特徴とする、請求項１９記載のプラズマディスプレイ装置の制御方法。
【請求項２１】
前記パルス幅制御信号を出力する段階は、
第１領域にあるスキャンラインに印加されるスキャンパルスの幅が第１幅になるようにパルス幅制御信号を出力する段階と、
前記第１領域の次の第２領域にあるスキャンラインに印加されるスキャンパルスの幅が前記第１幅より広い第２幅になるようにパルス幅制御信号を出力する段階と、
前記第２領域の次の第３領域にあるスキャンラインに印加されるスキャンパルスの幅が前記第２幅より狭い第３幅になるようにパルス幅制御信号を出力する段階と、
を含むことを特徴とする、請求項１４記載のプラズマディスプレイ装置の駆動方法。
【請求項２２】
前記パルス幅制御信号を出力する段階は、前記第２領域にあるスキャンラインの中で一部のスキャンラインに印加されるスキャンパルスの幅が、残りスキャンラインに印加されるスキャンパルスの幅よりさらに広いようにパルス幅制御信号を出力することを特徴とする、請求項２１記載のプラズマディスプレイ装置の駆動方法。
【請求項２３】
前記パルス幅制御信号を出力する段階は、
第１領域にあるスキャンラインに印加されるスキャンパルスの幅が線形的に減少するようにするパルス幅制御信号を出力する段階と、
前記第１領域の次の第２領域にあるスキャンラインに印加されるスキャンパルスの幅が一定になるようにするパルス幅制御信号を出力する段階と、
前記第２領域の次の第３領域にあるスキャンラインに印加されるスキャンパルスの幅が線形的に増加するようにするパルス幅制御信号を出力する段階と、
を含むことを特徴とする、請求項１４記載のプラズマディスプレイ装置の駆動方法。
【請求項２４】
前記パルス幅制御信号を出力する段階は、それぞれのスキャンラインに印加されるスキャンパルスの幅が非線形的に減少している途中で、非線形的に増加するようにするパルス幅制御信号を出力することを特徴とする、請求項１４記載のプラズマディスプレイ装置の駆動方法。
【請求項２５】
前記パルス幅制御信号を出力する段階は、それぞれのスキャンラインに印加されるスキャンパルスの幅が線形的に減少している途中で、線形的に増加するようにするパルス幅制御信号を出力するすることを特徴とする、請求項１４記載のプラズマディスプレイ装置の駆動方法。
【請求項２６】
パルス幅制御信号を出力する段階は、スキャンパルスごとにスキャンパルスの幅が相異になるように前記パルス幅制御信号を出力することを特徴とする、請求項１４に記載のプラズマディスプレイ装置の駆動方法。
【発明の詳細な説明】
【技術分野】
【０００１】
本発明は、プラズマディスプレイ装置及びプラズマディスプレイ装置の駆動方法に関する。
【背景技術】
【０００２】
図１は、一般的なプラズマディスプレイ装置の駆動波形である。図１に示すように、リセット区間は、セットアップ（ｓｅｔ−ｕｐ）区間とセッダウン（ｓｅｔ−ｄｏｗｎ）区間で分けることができる。
【０００３】
セットアップ区間では、スキャン電極（Ｙ）にランプアップパルス（ｒａｍｐ ｕｐ ｐｕｌｓｅ）が印加されて、スキャン電極（Ｙ）、データ電極（Ｘ）及びサステイン電極（Ｚ）に十分な壁電荷が積もる。
【０００４】
また、セッダウン区間では、サステイン電極（Ｚ）にランプダウンパルス（ｒａｍｐ ｄｏｗｎ ｐｕｌｓｅ）が印加されて、各電極（Ｘ、Ｙ、Ｚ）に積もった壁電荷が一定量消去されて各電極（Ｘ、Ｙ、Ｚ）の壁電荷が均一化される。
【０００５】
リセット区間以後のアドレス区間では、スキャン電極（Ｙ）にスキャンパルスが印加されて、データ電極（Ｘ）にデータパルスが印加されてターンオンされるセルが選択される。
【０００６】
サステイン区間では、アドレス区間で選択されたセルに該当のサブフィールドに割り当てされた個数のサステインパルスが印加されることで、選択されたセルがターンオンされる。
【０００７】
以後、消去区間でＺ電極に消去パルスが印加されることで、電極に積もった壁電荷が消去される。
【０００８】
このようなリセット区間、アドレス区間、サステイン区間及び消去区間は各サブフィールドで繰り返し的に成り、各サブフィールドのアドレス区間でスキャン電極（Ｙ）に印加されるスキャンパルスの幅は図２に示すように一定である。
【０００９】
図２に示すグラフの横軸はスキャンパルス幅を意味して、グラフの縦軸はスキャンラインの位置を現わす。すなわち、一番上側にある一番目スキャンライン（１ｓｔ  ｌｉｎｅ）から最後のスキャンライン（Ｎｔｈ  ｌｉｎｅ）それぞれに印加されるスキャンパルスの幅は一定である。
【００１０】
一方、プラズマディスプレイ装置の大型化と高解像度化によってスキャンラインが増加する。これによってスキャンのためにスキャンライン一つに割り当てされる時間は減少するので、一番目スキャンライン（１ｓｔ  ｌｉｎｅ）上の壁電荷大きさと、最後のスキャンライン（Ｎｔｈ  ｌｉｎｅ）上の壁電荷大きさの間に差が発生する。
【００１１】
リセット区間に印加されたセットアップパルスによって壁電荷が十分な状態でアドレス区間で等しい幅のスキャンパルスが一番目スキャンライン（１ｓｔ  ｌｉｎｅ）に印加されると、誤放電や書き込み誤り（ｍｉｓｗｒｉｔｉｎｇ）の生ずる確率が減る。
【００１２】
一方、リセット区間直後から最後のスキャンライン（Ｎｔｈ ｌｉｎｅ）がスキャンされるまでは多くの時間が必要となるので、セットアップパルスによって最後のスキャンライン（Ｎｔｈ  ｌｉｎｅ）上に形成された壁電荷は、減少する可能性が大きくなる。 したがって、一番目スキャンライン（１ｓｔ ｌｉｎｅ）に印加されたスキャンパルスの幅と等しいスキャンパルスが最後のスキャンラインに印加されたらアドレス放電が問題になるとかアドレスマージンが減って駆動が難しくなる。
【００１３】
また各サブフィールドのＡＰＬ（Ａｖｅｒａｇｅ Ｐｉｃｔｕｒｅ Ｌｅｖｅｌ）によってリセット区間以後各スキャンライン上の壁電荷量の差が発生するので、サブフィールド別ＡＰＬの考慮なしに各スキャンラインに等しい幅を持ったスキャンパルスが印加される場合誤放電、書き込み誤りなどが発生する可能性が大きくなる。
【発明の開示】
【発明が解決しようとする課題】
【００１４】
本発明の目的は、リセット区間での壁電荷量やサブフィールド別ＡＰＬを考慮してスキャンパルスの幅を可変させるプラズマディスプレイ装置及び駆動方法を提供することにある。
【課題を解決するための手段】
【００１５】
本発明によるプラズマディスプレイ装置は複数のスキャンラインが垂直方向に並んで配列されたプラズマディスプレイパネル、前記スキャンラインの位置によって相異にスキャンパルスの幅を調節するためのパルス幅制御信号を出力するタイミングコントローラ及び前記タイミングコントローラから入力されたパルス幅制御信号によってスキャンパルスを前記プラズマディスプレイパネルのスキャンラインに印加するスキャン電極駆動部を含む。
【００１６】
本発明によるプラズマディスプレイ装置の駆動方法は前記スキャンラインの位置によって相異にスキャンパルスの幅を調節するためのパルス幅制御信号を出力する段階と、前記パルス幅制御信号によってスキャンパルスを前記プラズマディスプレイパネルのスキャンラインに印加する段階を含む。
【００１７】
前記タイミングコントローラは、リセット期間に印加されるリセットパルスの幅またはリセットパルスの電圧レベルの中で少なくとも一つを制御するためのタイミング制御信号を出力して、リセットパルスの幅またはリセットパルスの電圧レベルの中で少なくとも一つと前記スキャンラインの上下位置によってスキャンパルスの幅を調節するためのタイミング制御信号を出力する。
【００１８】
本発明のプラズマディスプレイ装置は映像信号を入力受けてフレームにあたるサブフィールドを決めるデータ検出部をさらに含み、前記タイミングコントローラは、前記サブフィールドと前記スキャンラインの上下位置によってスキャンパルスの幅を調節するためのパルス幅制御信号を出力する。
【００１９】
本発明のプラズマディスプレイ装置は映像信号を入力受けてデータロードを計算するデータ検出部をさらに含み、前記映像信号のデータロードと前記スキャンラインの上下位置によってスキャンパルスの幅を調節するためのパルス幅制御信号を出力する。
【００２０】
前記タイミングコントローラは、各スキャンラインに順に印加されるスキャンパルスの幅を増加させるためのパルス幅制御信号を出力する。
【００２１】
前記タイミングコントローラは、第１領域にあるスキャンラインに印加されるスキャンパルスの幅が第１幅になるようにパルス幅制御信号を出力して、前記第１領域次の第２領域にあるスキャンラインに印加されるスキャンパルスの幅が前記第１幅より狭い第２幅になるようにパルス幅制御信号を出力して、前記第２領域次の第３領域にあるスキャンラインに印加されるスキャンパルスの幅が前記第２幅より大きい第３幅になるようにパルス幅制御信号を出力する。
【００２２】
前記タイミングコントローラは、前記第２領域にあるスキャンライン中で一部のスキャンラインに印加されるスキャンパルスの幅は残りスキャンラインに印加されるスキャンパルスの幅よりさらに狭いようにパルス幅制御信号を出力する。
【００２３】
前記タイミングコントローラは、第１領域にあるスキャンラインに印加されるスキャンパルスの幅が第１幅になるようにパルス幅制御信号を出力して、前記第１領域次の第２領域にあるスキャンラインに印加されるスキャンパルスの幅が前記第１幅より広い第２幅になるようにパルス幅制御信号を出力して、前記第２領域次の第３領域にあるスキャンラインに印加されるスキャンパルスの幅が前記第２幅より狭い第３幅になるようにパルス幅制御信号を出力する。
【００２４】
前記タイミングコントローラは、前記第２領域にあるスキャンラインの中で一部のスキャンラインに印加されるスキャンパルスの幅は残りスキャンラインに印加されるスキャンパルスの幅よりさらに広いようにパルス幅制御信号を出力する。
【００２５】
前記タイミングコントローラは、第１領域にあるスキャンラインに印加されるスキャンパルスの幅が線形的に減少するようにするパルス幅制御信号を出力して、前記第１領域次の第２領域にあるスキャンラインに印加されるスキャンパルスの幅が一定するようにするパルス幅制御信号を出力して、前記第２領域次の第３領域にあるスキャンラインに印加されるスキャンパルスの幅が線形的に増加するようにするパルス幅制御信号を出力する。
【００２６】
前記タイミングコントローラは、それぞれのスキャンラインに印加されるスキャンパルスの幅が非線形的で減少している途中非線形的で増加するようにするパルス幅制御信号を出力することを特徴とする。
【００２７】
前記タイミングコントローラは、それぞれのスキャンラインに印加されるスキャンパルスの幅が線形的に減少している途中線形的に増加するようにするパルス幅制御信号を出力することを特徴とする。
【００２８】
本発明によるプラズマディスプレイ装置の駆動方法はリセット期間に印加されるリセットパルスの幅またはリセットパルスの電圧レベルの中で少なくとも一つを制御するためのタイミング制御信号を出力する段階をさらに含み、前記リセットパルスの幅またはリセットパルスの電圧レベルの中で少なくとも一つと前記スキャンラインの上下位置によってスキャンパルスの幅を調節するためのタイミング制御信号を出力する。
【００２９】
本発明によるプラズマディスプレイ装置の駆動方法は映像信号を入力受けてフレームにあたるサブフィールドを決める段階をさらに含み、前記サブフィールドと前記スキャンラインの上下位置によってスキャンパルスの幅を調節するためのパルス幅制御信号を出力する。
【００３０】
本発明によるプラズマディスプレイ装置の駆動方法は映像信号を入力受けてデータロードを計算する段階をさらに含み、前記映像信号のデータロードと前記スキャンラインの上下位置によってスキャンパルスの幅を調節するためのパルス幅制御信号を出力する。
【００３１】
本発明によるプラズマディスプレイ装置の駆動方法は各スキャンラインに順に印加されるスキャンパルスの幅を増加させるためのパルス幅制御信号を出力する。
【００３２】
本発明によるプラズマディスプレイ装置の駆動方法は第１領域にあるスキャンラインに印加されるスキャンパルスの幅が第１幅になるようにパルス幅制御信号を出力して、前記第１領域次の第２領域にあるスキャンラインに印加されるスキャンパルスの幅が前記第１幅より狭い第２幅になるようにパルス幅制御信号を出力して、前記第２領域次の第３領域にあるスキャンラインに印加されるスキャンパルスの幅が前記第２幅より大きい第３幅になるようにパルス幅制御信号を出力する。
【００３３】
本発明によるプラズマディスプレイ装置の駆動方法は第１領域にあるスキャンラインに印加されるスキャンパルスの幅が線形的に減少するようにするパルス幅制御信号を出力して、前記第１領域次の第２領域にあるスキャンラインに印加されるスキャンパルスの幅が一定するようにするパルス幅制御信号を出力して、前記第２領域次の第３領域にあるスキャンラインに印加されるスキャンパルスの幅が線形的に増加するようにするパルス幅制御信号を出力する。
【００３４】
本発明によるプラズマディスプレイ装置の駆動方法はそれぞれのスキャンラインに印加されるスキャンパルスの幅が線形的に減少している途中線形的に増加するようにするパルス幅制御信号を出力する。
【発明の効果】
【００３５】
本発明のプラズマディスプレイ装置及び駆動方法はスキャンラインの位置によってスキャンパルス幅が調節されることで高速駆動が可能でサステイン区間を確保して輝度を増加させることができる。
【発明を実施するための最良の形態】
【００３６】
以下では本発明による具体的な実施形態を添付された図面を参照して説明する。
【００３７】
［第１実施形態］
図３は、本発明によるプラズマディスプレイ装置の駆動装置のブロック構成図である。図３に示すように、本発明によるプラズマディスプレイ装置の駆動装置は、データ検出部（ｄａｔａ  ｄｅｔｅｃｔｏｒ）３１０、タイミングコントローラ（ｔｉｍｉｎｇ  ｃｏｎｔｒｏｌｌｅｒ）３２０及びスキャン電極駆動部（ｓｃａｎ ｅｌｅｃｔｒｏｄｅ  ｄｒｉｖｅｒ）３３０及びプラズマディスプレイパネル３４０を含む。
〈プラズマディスプレイパネル〉
【００３８】
プラズマディスプレイパネル３４０は、垂直方向に並んで配列されている複数のスキャンラインを含む。
〈データ検出部〉
【００３９】
データ検出部３１０は、映像信号の入力を受けて、フレームを形成するサブフィールドを決めてデータロード（ｌｏａｄ）を計算する。映像信号のデータロードは、ＡＰＬ（Ａｖｅｒａｇｅ  Ｐｉｃｔｕｒｅ  Ｌｅｖｅｌ）のようなものである。ＡＰＬは、プラズマディスプレイパネルを構成する各セルの階調の合計を全体セルの個数で除した値である。
〈タイミングコントローラ〉
【００４０】
タイミングコントローラ３２０は、プラズマディスプレイパネル３４０上のスキャンラインの位置によって相異にスキャンパルスの幅を調節するためのタイミングを制御するパルス幅制御信号を出力する。また、タイミングコントローラ３２０は、リセット期間に印加されるリセットパルスの幅またはリセットパルスの電圧レベルの中で少なくとも一つを制御するためのタイミング制御信号を出力して、リセットパルスの幅またはリセットパルスの電圧レベルの中で少なくとも一つと、スキャンラインの上下位置によってスキャンパルスの幅を調節するためのタイミング制御信号を出力する。また、 タイミングコントローラ３２０は、データ検出部３１０から入力された映像のデータロード（ｄａｔａ  ｌｏａｄ）またはサブフィールドの中で少なくとも一つに基づいて、スキャンラインの上下位置によってスキャンパルスの幅を調節することができる。
〈スキャン電極駆動部〉
【００４１】
スキャン電極駆動部３３０は、タイミングコントローラ３２０から入力されたパルス幅制御信号によって調節された幅を持ったスキャンパルスをプラズマディスプレイパネル３４０のスキャンラインに印加する。
【００４２】
次に、図面を参照して本発明によるプラズマディスプレイ装置の駆動装置の動作を詳しく説明する。
【００４３】
図４は、本発明による駆動装置の動作によって形成されるスキャンパルス幅の変化を示す第１実施形態である。
【００４４】
先ず、図４のＡに対して説明する。図３のタイミングコントローラ３２０から出力されたタイミング制御信号によってスキャン電極駆動部３３０が充分に大きい電圧レベルのリセットパルスを印加するか又は充分に大きな幅を持ったリセットパルスを印加してスキャンラインに十分な壁電荷が形成される場合、タイミングコントローラ３２０は、下側部分に位置したスキャンラインに印加されるスキャンパルスほど、スキャンパルスの幅が大きくなるようにするパルス幅制御信号を出力する。すなわち、タイミングコントローラ３２０は、各スキャンラインに順に印加されるスキャンパルスの幅を線形的に増加させるためのパルス幅制御信号を出力する。
【００４５】
スキャンラインの位置が上側部分にあるほど充分に大きいリセットパルスの影響によって形成される壁電荷がスキャン過程で利用されることができるが、スキャンラインの位置が下側部分に行くほど消滅する壁電荷が増加する。したがって、タイミングコントローラー部３２０は、スキャンラインの全体のうち、上側部分から下側部分に行くほど各スキャンラインに印加されるスキャンパルスの幅を増加させる。これによって、最初のスキャンライン（1ｓｔ ｌｉｎｅ）に印加されるスキャンパルスの幅が一番狭く、最後のスキャンライン（Ｎｔｈ ｌｉｎｅ）に印加されるスキャンパルスの幅が一番広い。
【００４６】
次に、図４のＢに対して説明する。図３のタイミングコントローラ３２０から出力されたタイミング制御信号によって、スキャン電極駆動部３３０が小さな電圧レベルのリセットパルスを印加するか又は狭い幅を持ったリセットパルスを印加してスキャンラインに十分ではない壁電荷が形成されれば、全体スキャンラインの中で上側部分である第１領域に位置したスキャンライン（１ｓｔｌｉｎｅ 〜 １０ｔｈ ｌｉｎｅ）に印加されるスキャンパルスの幅は相対的に広く、中央部分である第２領域に位置したスキャンライン（１１ｔｈ ｌｉｎｅ 〜 Ｎ−１０ｔｈ ｌｉｎｅ）に印加されるスキャンパルスの幅は相対的に狭く、下側部分である第３領域に位置したスキャンライン（Ｎ−９ｔｈｌｉｎｅ〜 Ｎｔｈｌｉｎｅ）に印加されるスキャンパルスの幅は広い。
【００４７】
すなわち、リセットパルスの電圧レベルの大きさが小さいか又はリセットパルスの幅が小さい場合、上側部分である第１領域にあるスキャンライン（１ｓｔ ｌｉｎｅ 〜 １０ｔｈ ｌｉｎｅ）上の壁電荷量は大きくないので、第１領域にあるスキャンライン（１ｓｔ ｌｉｎｅ 〜 １０ｔｈ ｌｉｎｅ）に印加されるスキャンパルスの幅は大きい。中央部分である第２領域にあるスキャンライン（１１ｔｈ ｌｉｎｅ 〜 Ｎ−１０ｔｈ ｌｉｎｅ）上には周辺スキャンライン上にある壁電荷の影響によって相対的に多くの壁電荷が積もるので、第２領域にあるスキャンライン（１１ｔｈ ｌｉｎｅ 〜 Ｎ−１０ｔｈ ｌｉｎｅ）に印加されるスキャンパルスの幅は狭い。 特に、第２領域にあるスキャンライン（１１ｔｈ ｌｉｎｅ 〜 Ｎ−１０ｔｈ ｌｉｎｅ）中、一部のスキャンラインに印加されるスキャンパルスの幅は、残りスキャンラインに印加されるスキャンパルスの幅よりさらに狭くすることができる。また、下側部分である第３領域にあるスキャンライン（Ｎ−９ｔｈ ｌｉｎｅ 〜 Ｎｔｈ ｌｉｎｅ）上の壁電荷の量は、壁電荷の消滅によって少なくなるので、下側部分にあるスキャンライン（Ｎ−９ｔｈ ｌｉｎｅ 〜 Ｎｔｈ ｌｉｎｅ）に印加されるスキャンパルスの幅は大きい。
【００４８】
このような本発明の実施形態によるプラズマディスプレイ装置は、場合によっては、図４のＢと反対になるようにパルス幅を調節することもできる。すなわち、図４のＣのように、スキャンライン全体の中で上側部分である第１領域に位置したスキャンライン（１ｓｔ ｌｉｎｅ 〜 １０ｔｈ ｌｉｎｅ）に印加されるスキャンパルスの幅は相対的に小さく、中央部分である第２領域に位置したスキャンライン（１１ｔｈ ｌｉｎｅ 〜 Ｎ−１０ｔｈ ｌｉｎｅ）に印加されるスキャンパルスの幅は相対的に大きく、下側部分である第３領域に位置したスキャンライン（Ｎ−９ｔｈ ｌｉｎｅ 〜 Ｎｔｈ ｌｉｎｅ）に印加されるスキャンパルスの幅は相対的に小さい。特に、第２領域にあるスキャンライン（１１ｔｈ ｌｉｎｅ〜Ｎ−１０ｔｈ ｌｉｎｅ）中一部のスキャンラインに印加されるスキャンパルスの幅は、残りスキャンラインに印加されるスキャンパルスの幅よりさらに大きくすることができる。
【００４９】
［第２実施形態］
図５は、本発明による駆動装置の動作によって形成されるスキャンパルス幅の変化を示す第２実施形態である。図５に示すように、タイミングコントローラ３２０は、上側部分である第１領域にあるスキャンライン（１ｓｔ ｌｉｎｅ 〜 １０ｔｈ ｌｉｎｅ）にスキャンパルスの幅が線形的に減少するようにするパルス幅制御信号を出力して、 中央部分である第２領域にあるスキャンライン（１１ｔｈ ｌｉｎｅ 〜 Ｎ−１０ｔｈ ｌｉｎｅ）にスキャンパルスの幅が一定であるようにするパルス幅制御信号を出力して、下側部分である第３領域にあるスキャンライン（Ｎ−９ｔｈｌｉｎｅ〜Ｎｔｈｌｉｎｅ）にスキャンパルスの幅が線形的に増加するようにするパルス幅制御信号を出力する。
【００５０】
このようにタイミングコントローラ３２０がスキャンパルスの幅を調整する理由は、基本的に図４のＢの場合と似ている。すなわち、タイミングコントローラ３２０から出力されたタイミング制御信号によってスキャン電極駆動部３３０が小さな電圧レベルのリセットパルスを印加するとか狭い幅を持ったリセットパルスを印加してスキャンラインに十分ではない壁電荷が形成されれば、第１領域にあるスキャンライン（１ｓｔ ｌｉｎｅ 〜 １０ｔｈ ｌｉｎｅ）上の壁電荷量は大きくないので、第１領域にあるスキャンライン（１ｓｔ ｌｉｎｅ 〜 １０ｔｈ ｌｉｎｅ）に印加されるスキャンパルスの幅は線形的に増加する。
第２領域にあるスキャンライン（１１ｔｈ ｌｉｎｅ 〜 Ｎ−１０ｔｈ ｌｉｎｅ）上には周辺スキャンライン上にある壁電荷の影響によって相対的に多くの壁電荷が積もるので、第２領域にあるスキャンライン（１１ｔｈ ｌｉｎｅ〜N-１０th line)に印加されるスキャンパルスの幅は一定して、この一定の幅は第１領域にあるスキャンライン(１st  line〜１０th  line)に印加されるスキャンパルスの幅より小さい。
また、第３領域にあるスキャンライン（Ｎ−９ｔｈ ｌｉｎｅ 〜 Ｎｔｈ ｌｉｎｅ）上の壁電荷の量は、壁電荷の消滅によって小さいから第３領域にあるスキャンライン（Ｎ−９ｔｈ ｌｉｎｅ 〜 Ｎｔｈ ｌｉｎｅ）に印加されるスキャンパルスの幅は、第２領域にあるスキャンライン（Ｎ−９ｔｈ ｌｉｎｅ 〜 Ｎｔｈ ｌｉｎｅ）に印加されるスキャンパルスの幅より大きく且つ線形的に増加する。もちろん図５に示すスキャンパルス幅の変化と反対の場合も可能である。
【００５１】
［第３実施形態］
図６は本発明による駆動装置の動作によって形成されるスキャンパルス幅の変化を示す第３実施形態である。図６に示すように、タイミングコントローラ３２０は上側部分である第１領域のスキャンラインから中央部分である第２領域の前半部に位置したスキャンラインには、スキャンパルスの幅が非線形的で減少するようにするパルス幅制御信号を出力して、中央部分である第２領域の後半部に位置したスキャンラインから下側部分である第３領域に位置したスキャンラインに印加されるスキャンパルスの幅が非線形的で増加するようにするパルス幅制御信号を出力する。このようにタイミングコントローラ３２０がスキャンパルスの幅を調整する理由は基本的に図４のＢ場合と似ている。もちろん図６に示すスキャンパルス幅の変化と反対の場合も可能である。
【００５２】
［第４実施形態］
図７は本発明による駆動装置の動作によって形成されるスキャンパルス幅の変化を現わした第４実施形態である。図７に示すように、タイミングコントローラ３２０は、スキャンパルスの幅が線形的に減少している途中、線形的に増加するようにするパルス幅制御信号を出力する。このようにタイミングコントローラ３２０がスキャンパルスの幅を調整する理由は基本的に図４のＢの場合と似ている。もちろん図７に示すスキャンパルス幅の変化と反対の場合も可能である。
【００５３】
このようなスキャンパルス幅の変化は、一つのサブフィールド内で実施するだけではなく、サブフィールドごとにお互いに異なるパルス幅変化のパターンを適用することができる。すなわち、タイミングコントローラ３２０は、ＡＰＬまたはサブフィールドを考慮して、スキャンラインの位置によってスキャンパルスの幅を調節する。言い換えれば、タイミングコントローラ３２０は、サブフィールド毎に、スキャンラインの位置を考慮して、スキャンパルスの幅を調整する。
【００５４】
例えば、一番目サブフィールドから五番目サブフィールドまでは図４のＡのようなパターンを適用し、六番目サブフィールドから１０番目サブフィールドまでは図４のＢのようなパターンを適用し、１１番目サブフィールドから１２番目サブフィールドまでは図４のＣのようなパターンを適用することができる。また、図４のＡ、Ｂ及びＣのようなパターンを交互に各サブフィールドに適用することができる。
【００５５】
このようなスキャンパルス幅の調節は、状況によってスキャンパルス幅が調節されるのでプラズマディスプレイ装置の大型化及び高解像度化による高速駆動によってアドレス期間が縮まっても、誤放電や書き込み誤りを防止することができる。また、アドレス期間の縮小によってサステイン期間を最大限確保することができるから、高輝度のプラズマディスプレイ装置を実現することができる。
【図面の簡単な説明】
【００５６】
【図１】一般的なプラズマディスプレイ装置の駆動波形図。
【図２】従来のスキャンラインの位置とスキャンパルス幅の関係を示すグラフ。
【図３】本発明によるプラズマディスプレイ装置の駆動装置のブロック構成図。
【図４】本発明による駆動装置の動作によって形成されるスキャンパルス幅の変化を示す第１実施形態の図。
【図５】本発明による駆動装置の動作によって形成されるスキャンパルス幅の変化を 示す第２実施形態の図。
【図６】本発明による駆動装置の動作によって形成されるスキャンパルス幅の変化を 示す第３実施形態の図。
【図７】本発明による駆動装置の動作によって形成されるスキャンパルス幅の変化を 示す第４実施形態の図である。
【図１】
2006139281.tif 000003
【図２】
2006139281.tif 000004
【図３】
2006139281.tif 000005
【図４】
2006139281.tif 000006
【図５】
2006139281.tif 000007
【図６】
2006139281.tif 000008
【図７】
2006139281.tif 000009